(57)【要約】【課題】  強固に杆材同士を連結することができるとともに、杆材の連結長さの調整時においても、容易に正確な連結長さを定めることができ、作業性にも優れ、かつ製作時に多くの加工工数や複雑な加工を必要としない、杆材の連結長さ調整構造を提供する。【解決手段】  平板にねじ孔１４と係合突起１３とを並設した連結支持具１１と、長手方向にそれぞれ複数の通孔を連設した第１杆材１と第２杆材２（第２杆材は、断面横向きＨ型材の縦片に通孔を設ける）とを形成し、第１杆材１を第２杆材２に外嵌させ、第１杆材１の外方から、連結支持具１１における係合突起１３を、第１杆材１と第２杆材２の複数の通孔から任意に選択して位置合わせした通孔に連通して係合させるとともに、連結支持具１１と反対側の外方から、固定ねじ１５を両杆材の通孔を連通させて、連結支持具１１におけるねじ孔１３に螺合した杆材の連結長さ調整構造とする。【選択図】        図２
2006138431.tif 000002
【特許請求の範囲】
【請求項１】
平板にねじ孔と係合突起とを並設した連結支持具と、長手方向にそれぞれ複数の通孔を連設した第１杆材と第２杆材とを形成し、第１杆材を第２杆材に外嵌させ、第１杆材の外方から、連結支持具における係合突起を、第１杆材と第２杆材の複数の通孔から任意に選択して位置合わせした通孔に連通して係合させるとともに、連結支持具と反対側の外方から、固定ねじを両杆材の通孔を連通させて、連結支持具におけるねじ孔に螺合したことを特徴とする杆材の連結長さ調整構造。
【請求項２】
第１杆材と第２杆材における複数の通孔を、両杆材とも同一の所定の間隔で連設したことを特徴とする請求項１記載の杆材の連結長さ調整構造。
【請求項３】
連結支持具におけるねじ孔と係合突起とを、両杆材と同一の所定の間隔で並設したことを特徴とする請求項２記載の杆材の連結長さ調整構造。
【請求項４】
連結支持具を、係合突起の両側に対称にねじ孔を設けて形成したことを特徴とする請求項１〜３のいずれかに記載の杆材の連結長さ調整構造。
【請求項５】
第１杆材の一側面に、長手方向の嵌合溝を設け、この嵌合溝に連結支持具を嵌合させたことを特徴とする請求項１〜４のいずれかに記載の杆材の連結長さ調整構造。
【請求項６】
連結支持具における係合突起の長さ方向に対する垂直断面を多角形状とし、この係合突起を連通させる第１杆材と第２杆材における通孔を、係合突起の前記断面形状の補形をなす形状としたことを特徴とする請求項１〜５のいずれかに記載の杆材の連結長さ調整構造。
【発明の詳細な説明】
【技術分野】
【０００１】
本発明は、杆材同士を連結長さを変更可能に結合する、杆材の連結長さ調整構造に関する。
【背景技術】
【０００２】
オフィス等の執務空間にて使用されるデスク、テーブル等においては、天板を支持する杆材で構成された支持脚の長さを調整可能とすることによって天板の高さを変更可能としたり、二つの脚体同士を連結杆で連結して構成し、その長さを調整可能とすることによってデスク長さを変更可能としたものが多く見られる。
こういった杆材の長さを調整する方法としては、支持脚を中空に形成された外杆と内杆によって杆材を形成し、外杆内部に挿入された内杆と、外杆との連結位置を変更することによって高さを変更するようにしている（特許文献１，２）。
しかし、特許文献１に示されるものは、単にねじの圧接力によって連結しているため、大きな負荷がかかった場合に、連結強度の面で問題があるとともに、連結の際に、正確な連結長さを定めるのが容易でない。また、特許文献２に示されるものは、複雑な加工を必要とし、加工工数、コスト等の面で問題がある。
【特許文献１】特開２０００−８３７４３号公報
【特許文献２】特開２００２−１７４５４号公報
【発明の開示】
【発明が解決しようとする課題】
【０００３】
本発明は、前記の問題点に鑑み、大きな負荷に対しても位置安定性よく強固に杆材同士を連結することができるとともに、杆材の連結長さの調整時においても、容易に正確な連結長さを定めることができ、作業性にも優れ、かつ製作時に多くの加工工数や複雑な加工を必要としない、杆材の連結長さ調整構造を提供することを目的とする。
【課題を解決するための手段】
【０００４】
上記課題は、特許請求の範囲における各請求項に示すように、下記の構成を備える発明によって解決される。
(１)  平板にねじ孔と係合突起とを並設した連結支持具と、長手方向にそれぞれ複数の通孔を連設した第１杆材と第２杆材とを形成し、第１杆材を第２杆材に外嵌させ、第１杆材の外方から、連結支持具における係合突起を、第１杆材と第２杆材の複数の通孔から任意に選択して位置合わせした通孔に連通して係合させるとともに、連結支持具と反対側の外方から、固定ねじを両杆材の通孔を連通させて、連結支持具におけるねじ孔に螺合した、杆材の連結長さ調整構造とする。
【０００５】
(２)  上記(１)項において、第１杆材と第２杆材における複数の通孔を、両杆材とも同一の所定の間隔で連設する。
【０００６】
(３)  上記(２)項において、連結支持具におけるねじ孔と係合突起とを、両杆材と同一の所定の間隔で並設する。
【０００７】
(４)  上記(１)項〜(３)項のいずれかにおいて、連結支持具を、係合突起の両側に対称にねじ孔を設けて形成する。
【０００８】
(５)  上記(１)項〜(４)項のいずれかにおいて、第１杆材の一側面に、長手方向の嵌合溝を設け、この嵌合溝に連結支持具を嵌合させる。
【０００９】
(６)  上記(１)項〜(５)項のいずれかにおいて、連結支持具における係合突起の長さ方向に対する垂直断面を多角形状とし、この係合突起を連通させる第１杆材と第２杆材における通孔を、係合突起の前記断面形状の補形をなす形状とする。
【発明の効果】
【００１０】
本発明によると、次のような効果が奏せられる。
請求項１記載の発明によれば、固定ねじおよび連結支持具の係合突起の両者を、第１杆材と第２杆材の通孔に連通させて螺締しているため、大きな負荷に対しても位置安定性よく強固に杆材同士を連結することができるとともに、連結長さの調整時においては、両杆材の所望の通孔を選んで位置合わせするだけで正確な連結長さを定めることができ、かつ連結支持具の係合突起が杆材相互の位置決めとして機能するため作業性に優れる。
さらに、杆材にねじ孔の加工を施す必要がなく、かつ連結支持具の係合突起が係合する通孔と、固定ねじが挿通される通孔とが共通であるため、製作時における複雑な加工を省き、加工工数を減少させることができる。
【００１１】
請求項２記載の発明によれば、第１杆材と第２杆材の複数の通孔の位置合わせが容易であり、連結長さの調整時の作業性が向上する。
【００１２】
請求項３記載の発明によれば、連結支持具の係合突起を、両杆材の通孔に係合させることにより、自動的に連結支持具のねじ孔と両杆材の通孔の位置合わせが行われるため作業性が向上する。
【００１３】
請求項４記載の発明によれば、連結支持具において、係合突起を挟んだ両側で杆材と螺合することができるので、より安定して連結することができる。
【００１４】
請求項５記載の発明によれば、嵌合溝に連結支持具が嵌合されるため、外観上の体裁がよくなるとともに、両杆材の固定時の作業性に優れる。
【００１５】
請求項６記載の発明によれば、連結支持具と両杆材との位置決めが可能となる。
【発明を実施するための最良の形態】
【００１６】
以下、本発明の実施形態を図面に基づいて説明する。
【００１７】
図１は、本発明の杆材の連結長さ調整構造を備える杆材の連結を示す斜視図、図２は、図１に示す杆材の連結の分解斜視図、図３は、図１におけるIII〜III線縦断面拡大図、図４は、図３におけるIV〜IV線縦断面図である。
【００１８】
本発明の連結長さ調整構造は、第１杆材(１)と第２杆材(２)とを強固かつ安定的に連結することができるとともに、両杆材の連結長さを容易に調整することができる。
【００１９】
図２に示すように、第１杆材(１)は、断面がほぼ４辺形をなし、下面(３)には断面が台形状の嵌合溝(４)が長手方向に設けられている。
【００２０】
第１杆材(１)の右端部には、上面(５)から下面(３)に貫通する通孔(6a)(6b)(6d)(6e)が長手方向に４個設けられるとともに、下面(３)には、前記４個の通孔のうちの２番目と３番目の通孔(6b)(6d)の間に相当する位置に１個の角状の通孔(6c)が設けられ、これら５個の通孔は、長手方向に等間隔で並んでいる。
【００２１】
第２杆材(２)は、長手方向を左右方向とした場合に、前向きコ字形部材(7a)と後向きコ字形部材(7b)の背面板(7c)(7d)同士を固着し、この固着した二重の背面板部分に、上下方向の通孔(8a)〜(8g)が左右方向に７個設けられて形成されている。７個の通孔(8a)〜(8g)は、上面(９)および下面(10)において角状をなし、左右方向に等間隔で並んでいる。
【００２２】
第１杆材(１)における下面(３)の嵌合溝(４)には、連結支持具(11)が嵌合される。
【００２３】
連結支持具(11)は、断面台形状の左右方向に長い平板(12)の上面中央に角柱状の係合突起(13)と、この係合突起(13)の左右にねじ孔(14)(14)が設けられて形成されている。
【００２４】
第１杆材(１)と第２杆材(２)における複数の通孔(6a)〜(6e)、(8a)〜(8g)間の間隔、および連結支持具(11)における係合突起(13)とねじ孔(14)間の間隔は、すべて同一の所定の間隔となっている。
【００２５】
第１杆材(１)と第２杆材(２)との連結は、次の手順によりなされる。
まず、図２〜図４に示すように、第１杆材(１)を第２杆材(２)に外嵌させ、第１杆材(１)の下面(３)における右端部から３番目の通孔(6c)と、第２杆材(２)における左端部から２番目の通孔(8b)とを位置合わせし、これらの通孔(6c)(8b)に、下方から連結支持具(11)の係合突起(13)を連通して係合させるとともに、連結支持具(11)を第１杆材(１)における下面(３)の嵌合溝(４)に嵌合させる。
【００２６】
次いで、固定ねじ(15)(15)を、上方から第１杆材(１)の右端部から２番目、４番目の通孔(6d)(6b)と、第２杆材(２)の左端部から１番目と３番目の通孔(8a)，(8c)とに連通させて、連結支持具(11)のねじ孔(14)(14)に螺合させることにより、第１杆材(１)と第２杆材(２)とが連結される。
【００２７】
図５は、両杆材(１)(２)の連結の別形態を示す図３に対応する図である。
【００２８】
図５に示す形態は、図３に示す場合よりも、第１杆材(１)の第２杆材(２)への外嵌の程度を多くして、連結後の両杆材の全体の長さを短くしたものである。すなわち、図５に示すように、第１杆材(１)の下面(３)における右端部から３番目の通孔(6c)と、第２杆材(２)における左端部から４番目の通孔(8d)とを位置合わせし、これらの通孔(6c)(8d)に、下方から連結支持具(11)の係合突起(13)を連通して係合させるとともに、固定ねじ(15)(15)を上方から第１杆材(１)の右端部から２番目、４番目の通孔(6d)(6b)と、第２杆材(２)の左端部から３番目と５番目の通孔(8c)(8e)に連通させて、連結支持具(11)のねじ孔(14)(14)に螺合させることにより、第１杆材(１)と第２杆材(２)とが連結されている。このため、連結後の両杆材の全体の長さは、図５に示す場合は、図３に示す場合よりも、両杆材における通孔間の間隔ｄの２倍の長さ２ｄだけ短くなっている。
【００２９】
図６は、第２杆材の第２実施形態を示す拡大斜視図である。
【００３０】
この第２杆材(16)は、図２に示す第１実施形態の第２杆材(２)の左端部縁面に、４個の通孔(17)を有する側板(18)が固着されて形成されている。
【００３１】
図７は、第１杆材と第２実施形態の第２杆材との連結を、デスクの左右の支持脚の連結に適用した場合の分解斜視図である。
【００３２】
図８は、図７に示す連結の組立時における中央縦断面図である。
【００３３】
デスク(19)の支持脚(20)の上端後部には、左右方向の４個のねじ孔(21)を有する第２杆材受部(22)が設けられている。
【００３４】
まず、第２杆材(16)を、取付ねじ(23)を左方より側板(18)の通孔(17)を介して支持脚(20)における第２杆材受部(22)のねじ孔(21)に螺合させることにより第２杆材(16)を支持脚(20)に取付ける。
【００３５】
次いで、第１杆材(24)の右端部を第２杆材(16)に外嵌させ、連結支持具(25)の係合突起(26)を下方から第１杆材(24)の通孔(27c)と、第２杆材(16)の通孔(28e)を連通させて係合させるとともに、固定ねじ(29)(29)を上方から第１杆材(24)の通孔(27b)(27d)と、第２杆材(16)の通孔(28d)(28f)とに連通させて、連結支持具(25)のねじ孔(30)(30)に螺合させることにより、第２杆材(２)に第１杆材(24)を取付ける。
【００３６】
次いで、取付ねじ(31)(31)を、下方から連結支持具(25)の通孔(32)(32)、第１杆材(24)の通孔(27a)(27e)、第２杆材(16)の通孔(28c)(28g)をそれぞれ介して、天板(33)の裏面のねじ孔(34)に螺合して、天板(33)を取付けることにより、本発明の連結長さ調整構造を備える杆材を、デスクにおける左右の支持脚の連結に適用することができる。
【００３７】
図９、図１０は、それぞれ第３実施形態、第４実施形態の第２杆材を用いて、第１杆材と連結する形態を示す分解斜視図である。
【００３８】
第２杆材は、図９に示す角管状第２杆材(35)、図１０に示す断面コ字状第２杆材(36)であってもよい。
【００３９】
図９，図１０における第１杆材(37)(38)は、図１〜図５に示したものと同一である。前記したと同様な方法により、固定ねじ(39)(40)、連結支持具(41)(42)を用いて、それぞれ第１杆材(37)(38)と、第２杆材(35)(36)とが連結される。
【図面の簡単な説明】
【００４０】
【図１】本発明の杆材の連結長さ調整構造を備える杆材の連結を示す斜視図である。
【図２】図１に示す杆材の連結の分解斜視図である。
【図３】図１におけるIII〜III線縦断面拡大図である。
【図４】図３におけるIV〜IV線縦断面図である。
【図５】杆材の連結の別形態を示す図３に対応する図である。
【図６】第２杆材の第２実施形態を示す拡大斜視図である。
【図７】第１杆材と第２実施形態の第２杆材との連結を、デスクの左右の支持脚の連結に適用した場合の分解斜視図である。
【図８】図７に示す連結の組立時における中央縦断面図である。
【図９】第１杆材と第３実施形態の第２杆材との連結を示す分解斜視図である。
【図１０】第１杆材と第４実施形態の第２杆材との連結を示す分解斜視図である。
【符号の説明】
【００４１】
(１)第１杆材
(２)第２杆材
(３)下面
(４)嵌合溝
(５)上面
(6a)(6b)(6c)(6d)(6e)通孔
(7a)(7b)コ字形部材
(7c)(7d)背面板
(8a)〜(8g)通孔
(９)上面
(10)下面
(11)連結支持具
(12)平板
(13)係合突起
(14)ねじ孔
(15)固定ねじ
(16)第２杆材
(17)通孔
(18)側板
(19)デスク
(20)支持脚
(21)ねじ孔
(22)第２杆材受部
(23)取付ねじ
(24)第１杆材
(25)連結支持具
(26)係合突起
(27a)〜(27e)通孔
(28a)〜(28d)通孔
(29)固定ねじ
(30)ねじ孔
(31)取付ねじ
(32)通孔
(33)天板
(34)ねじ孔
(35)角管状第２杆材
(36)コ字状第２杆材
(37)(38)第１杆材
(39)(40)固定ねじ
(41)(42)連結支持具
【図１】
2006138431.tif 000003
【図２】
2006138431.tif 000004
【図３】
2006138431.tif 000005
【図４】
2006138431.tif 000006
【図５】
2006138431.tif 000007
【図６】
2006138431.tif 000008
【図７】
2006138431.tif 000009
【図８】
2006138431.tif 000010
【図９】
2006138431.tif 000011
【図１０】
2006138431.tif 000012
【手続補正書】
【提出日】平成16年11月15日(2004.11.15)
【手続補正１】
【補正対象書類名】図面
【補正対象項目名】図３
【補正方法】変更
【補正の内容】
【図３】
2006138431.tif 000013
【手続補正２】
【補正対象書類名】図面
【補正対象項目名】図４
【補正方法】変更
【補正の内容】
【図４】
2006138431.tif 000014